【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
時刻を設定する手段と、
地点を設定する手段と、
前記設定した地点において前記設定した時刻に受信可能な番組を含む番組表を作成する手段と、
前記作成した番組表を表示する番組表表示手段と、
を有する番組表作成装置。
【請求項２】
前記番組表は同一時間帯に視聴可能な複数の番組を含む、
請求項１に記載の番組表作成装置。
【請求項３】
前記番組表表示手段が表示している番組表に表示されている番組から、視聴または予約を行う番組を選択するための番組選択手段を有する、
請求項１または請求項２に記載の番組表作成装置。
【請求項４】
前記時刻は将来の時刻であり、
前記地点は前記時刻に使用者又はその他の者が居る予定の地点である、
請求項１から請求項３のいずれか１項に記載の番組表作成装置。
【請求項５】
前記時刻は、将来の複数の時刻であり、
前記地点は将来移動する予定経路上で前記各時刻に使用者又はその他の者が居る予定の複数の地点である、
請求項１から請求項４のいずれか１項に記載の番組表作成装置。
【請求項６】
前記時刻又は前記地点の一又は複数が変更された時、その変更された時刻又は地点に対応して、番組表を更新する、
請求項１から請求項５のいずれか１項に記載の番組表作成装置。
【請求項７】
目的地を設定する手段と、
現在位置から前記目的地へ行くための経路を求める手段と、
前記経路上を移動中に受信可能な番組を含む番組表を作成する手段と、
前記作成した番組表を表示する番組表表示手段と、
を有する番組表作成装置。
【請求項８】
前記番組表は同一時間帯に視聴可能な複数の番組を含む、
請求項７に記載の番組表作成装置。
【請求項９】
前記番組表表示手段が表示している番組表に表示されている番組から、視聴または予約を行う番組を選択するための番組選択手段を有する、
請求項７または請求項８に記載の番組表作成装置。
【請求項１０】
前記目的地に行く途中で、その残り経路上を移動中に受信可能な番組が変わった場合、前記番組表を更新する、
請求項７から請求項９のいずれか１項に記載の番組表作成装置。
【請求項１１】
番組表を作成するための番組情報を受信する手段を更に有する、
請求項１から請求項１０の何れか１項に記載の番組表作成装置。
【請求項１２】
番組を受信する手段と、
前記番組を記録する手段と、
前記番組表に基づいて前記番組の受信と記録の何れか一方又は両方を予約する手段と、
を更に有する請求項１から請求項１１の何れか１項に記載の番組表作成装置。
【請求項１３】
時刻を設定する手順と、
地点を設定する手順と、
前記設定した地点において前記設定した時刻に受信可能な番組を含む番組表を作成する手順と、
前記作成した番組表を表示する番組表表示手順と、
を有する番組表作成方法。
【請求項１４】
前記番組表は同一時間帯に視聴可能な複数の番組を含む、
請求項１３記載の番組表作成方法。
【請求項１５】
前記番組表表示手順で表示した番組表に表示されている番組から、視聴または予約を行う番組を選択するための番組選択手順を有する、
請求項１３または請求項１４に記載の番組表作成方法。
【請求項１６】
前記時刻は将来の時刻であり、
前記地点は前記時刻に使用者又はその他の者が居る予定の地点である、
請求項１３から請求項１５のいずれか１項に記載の番組表作成方法。
【請求項１７】
前記時刻は、将来の複数の時刻であり、
前記地点は将来移動する予定経路上で前記各時刻に使用者又はその他の者が居る予定の複数の地点である、
請求項１３から請求項１６のいずれか１項に記載の番組表作成方法。
【請求項１８】
前記時刻又は前記地点の一又は複数が変更された時、その変更された時刻又は地点に対応して、番組表を更新する、
請求項１３から請求項１７のいずれか１項に記載の番組表作成方法。
【請求項１９】
目的地を設定する手順と、
現在位置から前記目的地へ行くための経路を求める手順と、
前記経路上を移動中に受信可能な番組を含む番組表を作成する手順と、
前記作成した番組表を表示する番組表表示手順と、
を有する番組表作成方法。
【請求項２０】
前記番組表は同一時間帯に視聴可能な複数の番組を含む、
請求項１９に記載の番組表作成方法。
【請求項２１】
前記番組表表示手順で表示した番組表に表示されている番組から、視聴または予約を行う番組を選択するための番組選択手順を有する、
請求項１９または請求項２０に記載の番組表作成方法。
【請求項２２】
前記目的地に行く途中で、その残り経路上を移動中に受信可能な番組が変わった場合、前記番組表を更新する、
請求項１９から請求項２１のいずれか１項に記載の番組表作成方法。
【請求項２３】
番組表を作成するための番組情報を受信する手順を更に有する、
請求項１９から請求項２２の何れか１項に記載の番組表作成方法。
【請求項２４】
番組を受信する手順と、
前記番組を記録する手順と、
前記番組表に基づいて前記番組の受信と記録の何れか一方又は両方を予約する手順と、
を更に有する請求項１９から請求項２３の何れか１項に記載の番組表作成方法。
【請求項２５】
コンピュータによって実行されるプログラムであって、
時刻を設定するステップと、
地点を設定するステップと、
前記設定した地点において前記設定した時刻に受信可能な番組を含む番組表を作成するステップと、
前記作成した番組表を表示する番組表表示ステップと、
を有する番組表作成プログラム。
【請求項２６】
前記番組表は同一時間帯に視聴可能な複数の番組を含む、
請求項２５に記載の番組表作成プログラム。
【請求項２７】
前記番組表表示ステップで表示した番組表に表示されている番組から、視聴または予約を行う番組を選択するための番組選択ステップを有する、
請求項２５または請求項２６に記載の番組表作成プログラム。
【請求項２８】
前記時刻は将来の時刻であり、
前記地点は前記時刻に使用者又はその他の者が居る予定の地点である、
請求項２５から請求項２７のいずれか１項に記載の番組表作成プログラム。
【請求項２９】
前記時刻は、将来の複数の時刻であり、
前記地点は将来移動する予定経路上で前記各時刻に使用者又はその他の者が居る予定の複数の地点である、
請求項２５から請求項２８のいずれか１項に記載の番組表作成プログラム。
【請求項３０】
前記時刻又は前記地点の一又は複数が変更された時、その変更された時刻又は地点に対応して、番組表を更新する、
請求項２５から請求項２９のいずれか１項に記載の番組表作成プログラム。
【請求項３１】
コンピュータによって実行されるプログラムであって、
目的地を設定するステップと、
現在位置から前記目的地へ行くための経路を求めるステップと、
前記経路上を移動中に受信可能な番組を含む番組表を作成するステップと、
前記作成した番組表を表示する番組表表示ステップと、
を有する番組表作成プログラム。
【請求項３２】
前記番組表は同一時間帯に視聴可能な複数の番組を含む、
請求項３１に記載の番組表作成プログラム。
【請求項３３】
前記番組表表示ステップで表示した番組表に表示されている番組から、視聴または予約を行う番組を選択するための番組選択ステップを有する、
請求項３１または請求項３２に記載の番組表作成プログラム。
【請求項３４】
前記目的地に行く途中で、その残り経路上を移動中に受信可能な番組が変わった場合、前記番組表を更新する、
請求項３１から請求項３３のいずれか１項に記載の番組表作成プログラム。
【請求項３５】
番組表を作成するための番組情報を受信するステップを更に有する、
請求項３１から請求項３４の何れか１項に記載の番組表作成プログラム。
【請求項３６】
番組を受信するステップと、
前記番組を記録するステップと、
前記番組表に基づいて前記番組の受信と記録の何れか一方又は両方を予約するステップと、
を更に有する請求項３１から請求項３５の何れか１項に記載の番組表作成プログラム。
【請求項３７】
コンピュータ読み取り可能な記録媒体であって、
請求項２５から請求項３６のいずれか１項に記載の番組表作成プログラムを記録した記録媒体。